(57)【要約】  【課題】  テーピングの専門知識を有しない人であっても迅速かつ容易に膝関節を固定することができ、膝関節の内側部位の違和感や蒸れ等による皮膚刺激が少ない膝部用粘着部材を提供すること。  【解決手段】  膝部用粘着部材は、Ｕ字型であってＵ字の湾曲底辺の成す角度が１２０度以下であるか、又は、環の一部を切断するスリットを有する楕円環形状であって、楕円環凹部短辺の成す角度が１２０度以下であり、かつ、伸縮固定部材及び粘着層を有する。この膝部用粘着部材の８０％伸張時におけるヒステリシスは８５％以上であることが好ましい。さらにまた、この膝部用粘着部材は、２０％伸張時における引張応力が１０Ｎ／１９ｍｍ幅以下であり、８０％伸張時における引張応力が１５Ｎ／１９ｍｍ幅以上であることが好ましい。【選択図】        図１
2005028025.tif 000002
【特許請求の範囲】
【請求項１】
Ｕ字型であってＵ字の湾曲底辺の成す角度が１２０度以下であるか、又は、環の一部を切断するスリットを有する楕円環形状であって、楕円環凹部短辺の成す角度が１２０度以下であり、かつ、伸縮固定部材及び粘着層を有することを特徴とする膝部用粘着部材。
【請求項２】
８０％伸張時におけるヒステリシスが８５％以上であることを特徴とする請求項１記載の膝部用粘着部材。
【請求項３】
２０％伸張時における引張応力が１０Ｎ／１９ｍｍ幅以下であり、８０％伸張時における引張応力が１５Ｎ／１９ｍｍ幅以上であることを特徴とする請求項２記載の膝部用粘着部材。
【請求項４】
前記伸縮固定部材が、伸縮性編布からなることを特徴とする請求項１から３のいずれか１項記載の膝部用粘着部材。
【請求項５】
前記伸縮固定部材が、さらにポリウレタン層を有することを特徴とする請求項４記載の膝部用粘着部材。
【発明の詳細な説明】
【技術分野】
【０００１】
本発明は、膝部用粘着部材に関する。詳しくは、スポーツや整体における膝部の固定等に用いられる膝部用粘着部材に関する。
【背景技術】
【０００２】
従来より、膝、肘、手首等の関節部に発生する痛みに多くの人が悩まされてきた。関節部は人間の動作に深く関与しているため、この部位に痛みが生じると、日常の動作が困難になることが多い。特に膝関節に痛みが生じると、歩行障害を招いて寝たきりになることがあり、肉体的のみならず精神的にも深刻な問題が発生する。関節部に生じる痛みの原因の一つは、関節軟骨の変形と磨耗によるものである。加齢により関節周囲の筋力が低下したり、スポーツをしすぎたりすると、また、肥満等によって体重の負荷がかかると、膝関節の軟骨の変形と磨耗が進行する。既述したように膝関節の痛みは深刻な問題を発生するが、近年の高齢化社会、健康志向による過度の運動、食生活の変化による肥満の増加という現状にあっては、膝関節に痛みを有する人口は増加する一方である。そのため、膝関節に生じる痛みを軽減する対策が強く求められており、現在でも、様々な対策が検討されている。
【０００３】
関節部の痛みは、痛み止め、筋弛緩剤等の飲み薬や局所注射等による薬物治療、レーザーや干渉波やマイクロウェーブ等によって消炎鎮痛させる理学療法、骨きり術や人工関節全置換術等の手術等によって軽減させることができる。この他にも、テーピングによって関節部を固定することにより痛みを軽減することができる。本発明においてテーピングとは、粘着テープ等を用いて関節部や筋肉等の施部を固定することであり、この施部を支持、補正、補強等することにより、痛みを軽減したり、治療を促進したりする効果がある。薬局等で手軽に入手できる粘着テープを用いるテーピングは、薬物治療、通院を必要とする理学療法、手術等の治療方法よりも、比較的安価にしかも手軽に関節部の痛みを軽減することができる有効な手段である。
【０００４】
しかしながら、テーピングには専門の知識が必要であり、また、テーピング技術の習得も困難であるので、専門のトレーナーにテーピングしてもらうために整骨院等に通ったりしているのが現状である。テーピングのためにわざわざ整骨院に通うのは時間も手間もかかり、しかも関節部を痛めた人にとっては肉体的苦痛を伴うこともある。
【０００５】
また、一般に市販されているテーピング用粘着テープは全面に粘着剤層を有していて、関節部位を圧迫、固定するために刺激に敏感な関節の内側部位にも粘着テープが巻着されるので、屈曲動作等に伴って違和感や不快感があった。また、自然発汗の多い関節の内側部位に粘着剤層が密着するため、この部位の皮膚表面が蒸れて皮膚刺激が発生する等の問題があった。
【０００６】
特開平８−６６４１８号公報には、膝関節に装着したときに膝関節との間に生じる空間を埋めるためのパットを有する膝関節用サポータが開示されている。この膝関節用サポータは専門の知識を有さない者でも簡易に装着することができ、また、粘着テープから成るものではないので、粘着テープの貼着による関節内側部位への不快感等が生じることはないが、粘着テープから成るものではないため、関節部を十分に固定することはできなかった。
【０００７】
特開２００２−３５１９６号公報には、縦方向へ伸縮可能な粘着テープの長手方向に長い縦スリットが幅方向に多数平行に形成された身体接着布が開示されているが、この身体接着布もテーピングの専門知識を有さない者には、容易に使いこなせるものではない。
【０００８】
特開２００２−３３０９９１号公報には、粘着剤層の一部に非粘着部を有する粘着テープが開示されている。この粘着テープは、関節の内側部位に非粘着部を当てて貼着されるので、屈伸運動等に伴う違和感や、自然発汗による蒸れを低減することができるし、専門知識が無くても簡単にテーピングを行うことができる。しかしながら、貼着操作として、関節の内側部位にあてがった非粘着部を一方の手で押さえつつ、もう一方の手で、粘着剤を有するテープ部分を膝関節を囲むように貼り合わせる必要があり、操作の簡便性に欠けていた。また、貼着操作の便宜上、一方の粘着テープの端を仮固定してから正式に固定を行うような場合には二度貼りになり、粘着テープ本来の粘着性が発現されないことがあった。また、粘着テープの仮固定は皮膚の角質の損傷にもつながり、しかも速く簡単に貼り合わせることができず簡便性に欠けるものであった。
【特許文献１】特開平８−６６４１８号公報
【特許文献２】特開２００２−３５１９６号公報
【特許文献３】特開２００２−３３０９９１号公報
【発明の開示】
【発明が解決しようとする課題】
【０００９】
そこで、上記問題に鑑み、本発明は、テーピングの専門知識を有しない人であっても迅速かつ容易に膝関節を固定することができ、また、膝関節の内側部位に違和感がなく、蒸れ等による皮膚刺激が少ない膝部用粘着部材を提供することを目的とする。また、この膝部用粘着部材を用いて膝関節を固定する方法を提供することを目的とする。
【課題を解決するための手段】
【００１０】
本発明の膝部用粘着部材は、Ｕ字型であってＵ字の湾曲底辺の成す角度が１２０度以下であるか、又は、環の一部を切断するスリットを有する楕円環形状であって、楕円環凹部短辺の成す角度が１２０度以下であり、かつ、伸縮固定部材及び粘着層を有することを特徴とする。
【００１１】
ここで、膝部用粘着部材の８０％伸張時におけるヒステリシスは８５％以上であることが好ましい。
【００１２】
この膝部用粘着部材は、さらにまた、２０％伸張時における引張応力が１０Ｎ／１９ｍｍ幅以下であり、８０％伸張時における引張応力が１５Ｎ／１９ｍｍ幅以上であることが好ましい。
【００１３】
また、前記伸縮固定部材は、伸縮性編布からなることができる。
【００１４】
ここで、前記伸縮固定部材は、さらにポリウレタン層を有することができる。
【発明の効果】
【００１５】
以上詳しく説明したように、本発明の膝部用粘着部材によれば、テーピングの専門知識を有しない人であっても迅速かつ容易に膝関節にテーピングを行うことができる。また、膝関節の内側部位に違和感がなく、蒸れ等による皮膚刺激が少なく、快適な装着感を実現することができ、かつ、膝の痛みを低減させることができる。本発明のテーピング方法に基づいてテーピングを行うことにより、膝部に貼付して膝関節を固定することにより、加齢や運動等によって生じる膝部の痛みを軽減することのできる。
【発明を実施するための最良の形態】
【００１６】
以下、本発明の実施形態について、図面を参照しながら詳細に説明する。なお、同一の構成要素には同一の参照番号を付して、説明を省略する。
【００１７】
図１は、本発明の第１の実施形態に係る膝部用粘着部材を示す図であり、図１の（ａ）は平面図であり、図１の（ｂ）は斜視図である。ここではＵ字型の膝部用粘着部材について説明する。図１の（ａ）において、膝部用粘着部材１は、外形がほぼ矩形状であり、この矩形状のほぼ中央に部材自体がほぼＵ字（馬蹄形）を呈するように打ち抜き部２が形成されている。打ち抜き部２は、Ｕ字の湾曲底辺３、Ｕ字側辺４、４'、及び、Ｕ字の開口部８を有する。Ｕ字の湾曲底辺３が成す角θは１２０度以下である。θが１２０度を超えると、膝頭を囲むように貼着する際に図１のＡの部分に浮きが生じて、膝関節の固定を十分に行うことができない場合がある。ここでＵ字の湾曲底辺３の成す角θは、湾曲底辺３が曲線により形成されている場合には、湾曲底辺及びＵ字側辺の境界点（Ｂ、Ｂ'）と、湾曲底辺の湾曲頂点Ａとの間の曲線上の適当な点（例えば、Ｃ、Ｃ'）の接線（ａ、ａ'）が成す角度で示すことができる。ただし、曲線上の適当な点の選択には、湾曲頂点Ａの近傍の曲線部分を除外する。湾曲底辺３の形状は、三角形の二辺、湾曲した曲線等に限定されることなく、θが１２０度以下を満足する範囲内であれば、台形、多角形、楕円形等の辺とすることもできる。また、図１に示す膝部用粘着部材１の外形はほぼ矩形状であるが、矩形状（ほぼ矩形状）に限定されることなく、本発明の効果を阻害しない範囲内で、例えば、台形、五角形、六角形等の多角形、楕円形等とすることもできる。
【００１８】
Ｕ字側辺４とＵ字側辺４'とは、ほぼ平行に向き合っており、使用に際しては、これらの辺が膝蓋骨を挟み込むように貼着される。ここではＵ字側辺４、４'は直線形状であるが、ほぼ直線形状でも、曲線形状でも、多角形状でもよい。打ち抜きにより形成された両辺の開き幅Ｗ１は、膝蓋骨を挟み込むのに適当な大きさであることが好ましく、例えば、好ましくはＷ１＝０．５ｃｍ〜９ｃｍの範囲内、より好ましくはＷ１＝１．０ｃｍ〜３．５ｃｍの範囲内で、使用対象者の体型等を考慮して適宜選択される。
【００１９】
膝部用粘着部材１は、Ｕ字側辺４、４'とＵ字の湾曲底辺３とを含むテープ部６、６'、Ｕ字開口部８に位置するＵ字端部５、５'、及び、テープ部６とテープ部６'とを繋ぐ連結部７から構成される。図１に示す実施形態においては、膝部用粘着部材１の一方のＵ字端部５、及び、他方のＵ字端部５'が、打ち抜かれたＵ字開口部８へせり出すように内側へ湾曲しているが、湾曲せずに、例えばテープ部６、６'をそのまま延長したような形状であってもよい。テープ部６とテープ部６'、及び、Ｕ字端部５とＵ字端部５'とは線対称な形状でも異なっていてもよいが、Ｕ字端部５、５'を重ね合わせた時に膝頭の周囲を囲むことができるような形状であることが好ましい。
【００２０】
膝部用粘着部材１の大きさ等は、使用対象者の体型等を考慮して適宜設計されることが好ましく、例えば、ほぼ矩形状の外形の短辺の長さは、テープ部６、６'が膝頭の上方及び下方に貼着することが可能で、かつ、膝蓋骨の上部と下部を補強、固定するのに適した長さであることが好ましく、また、長辺の長さは膝蓋骨の左側部と右側部とに貼着可能で、膝関節側面を補強、固定することができ、かつ、皮膚刺激に敏感な膝関節の内側部位に達しない長さであることが好ましい。テープ部６及びテープ部６'の長さは、Ｕ字端部５、５'を重ね合わせた時に膝頭の周囲を囲むことができるような長さであることが好ましい。また、連結部７の幅Ｌ１（Ｕ字頂点Ａと矩形状右側の短辺との距離Ｌ１）は、連結部７が膝関節の右側部を固定できる長さは必要であるが、膝関節内側部位に達しないような長さで設計されることが好ましい。
【００２１】
例えば、一般的な体型の大人が使用することを想定した場合には、Ｌ１が２．５ｃｍ〜１０ｃｍの範囲内であることが好ましく、Ｌ２が５ｃｍ〜２０ｃｍの範囲内であることが好ましく、Ｗ１が０．５ｃｍ〜９ｃｍの範囲内であることが好ましい。
【００２２】
膝部用粘着部材１は適度なキックバック性を有することが必要であり、したがって、膝部を固定することができるような伸縮固定部材を有する。本発明の膝部用粘着部材は、適度なキックバック性を有し、８０％伸張時におけるヒステリシスが８５％以上である。また、本発明の膝部用粘着部材は、２０％伸張時における引張張力が１０Ｎ／１９ｍｍ幅以下であることが好ましく、さらに好ましくは９Ｎ／１９ｍｍ幅以下であり、８０％伸張時における引張応力が１５Ｎ／１９ｍｍ幅以上であることが好ましい。このような膝部用粘着部材は、関節部への追従性と固定性を実現することができる。関節部の負担をより軽減するためには、８０％伸張時におけるヒステリシスが８８％以上、８０％伸張時における引張応力が１６Ｎ／１９ｍｍ幅以上であることがより好ましい。
【００２３】
ここで、８０％伸張時のヒステリシスとは、膝部用粘着部材を最大伸びの８０％まで伸ばした時の復元性を示す指標である。また、２０％伸張時における引張応力とは、所定形状の試料片を、所定速度で２０％伸張するまで引っ張った時の引張強度をいい、８０％伸張時における引張応力とは、所定形状の試料片を、所定速度で８０％伸張するまで引っ張った時の引張強度をいう。
【００２４】
図１の（ｂ）に膝部用粘着部材１の層構成を例示する。図１の（ｂ）において、膝部用粘着部材１は伸縮固定部材１１と粘着層１２とからなり、伸縮固定部材１１は基材１３の上にポリウレタン層１４が設けられている。ポリウレタン層１４はなくてもよいが、基材１３の上面をポリウレタン層１４で被覆することにより、透湿性及び防水性を付与することができる。
【００２５】
基材は、関節部を固定できるような適度な伸張度を有することが好ましく、例えば、ナイロン、ポリエステル、ポリウレタン、レーヨン、ポリプロピレン、ポリエチレン、綿等からなる不織布、織布、及び伸縮性を有する天然ゴム系、合成ゴム系で穿孔等が施された透湿性を有するシート、縦糸に伸縮糸を用いたタテ伸び布、縦糸および横糸に伸縮糸を用いた伸縮布等が挙げられる。本発明においては、伸縮性を有する編布（以下、「伸縮性編布」という）を用いることが好ましく、例えば、ナイロン、ポリエステル等の繊維に特殊加工を施すことにより伸縮性を持たせたストレッチヤーンやポリウレタン系弾性糸等のように伸縮性の大きい合繊糸を単独で編成した編み物地、若しくは、このような合繊糸とポリエステル繊維や綿等のように伸縮性の小さい繊維とを混合して編成した編布、スパンボンド不織布に、ポリウレタン等の伸縮糸を編み込んだ編み物地等を用いることができる。なお、編成方法としては、トリコット編、ラッシェル編、ミラニーズ編を含む経（タテ）メリヤス及び、平型編、円形編を含む緯（ヨコ）メリヤスのいずれを用いても良い。このうち、タテメリヤスは、裁断してもほつれが生じないので、より好ましい。また、合繊糸の太さは、４０〜１６０デニール程度であることが好ましい。
【００２６】
基材１３の厚さは、基材の材料特性等によって適宜決定されることが好ましいが、皮膚への追従性を考慮すると０．２〜１．０ｍｍが好ましく、さらに好ましくは０．３〜０．８ｍｍである。
【００２７】
ポリウレタン層１４は、エーテル系ウレタン、エステル系ウレタン等の公知のウレタンから形成される。本発明においては、ポリウレタン層としてポリウレタンフィルムを用いることができる。ポリウレタン層１４の厚さは、５μｍ以上、３０μｍ未満であることが好ましい。ポリウレタン層の厚さが５μｍ以上であれば、例えば伸縮性編布等の基材表面の凹凸を十分にコートすることができるのでピンホールが生じることがなく、ポリウレタン層の厚さが３０μｍ未満であれば、十分な透湿性を保持することができる。
【００２８】
例えば表面に凹凸がある基材の自背面に重ねて貼着すると、重ねて貼着した粘着部材の端がめくれることがあるが、凹凸面をポリウレタン層で被覆することにより、自背面への接着性を向上させることができる。また、防水性に乏しい基材では、雨天時に使用して水濡したりすると貼着した部分が剥がれることがあるが、ポリウレタン層を設けることによって防水性を付与することができる。さらにまた、ポリウレタン層の厚さを調節することにより、キックバック性の程度を調節することができる。
【００２９】
粘着層１２は、貼着した皮膚に追従できる程度の柔軟性や粘弾性を有し、皮膚に対して刺激の少ない粘着剤を用いて形成することが好ましく、一般的なテーピング用粘着テープの分野等で周知、あるいは実用されている種々の粘着剤を使用することができる。具体的には、アクリル系粘着剤、ゴム系粘着剤、合成ゴム系粘着剤、ビニルエーテル系粘着剤、シリコーン系粘着剤、ゲル系粘着剤を用いることができるが、皮膚刺激性等を考慮すると、アクリル系粘着剤もしくはゲル系粘着剤を用いることが好ましい。例えば、油性ゲル粘着剤は、接着力は比較的低いが、皮膚との密着性に優れ、テーピング等の用途には充分であり、剥離する際には皮膚表面の角質を傷つけることがないため、好適に使用することができる。なお、ゲル系粘着剤については、特表２０００−５１３２８７号を参照されたい。
【００３０】
粘着層１２は、伸縮固定部材１１の片面全面に設けてもよいが、部分的に設けてもよい。伸縮固定部材１１の基材面上に部分的に設ける場合には、粘着層をドット状または条状に形成することができ、粘着層が形成されていない領域が通気路としても機能するので、膝部用粘着部材の通気性や透湿性を向上させることができ、発汗によるムレやカブレ等を予防することができる。条状の形状としては、直線状、波状等が挙げられる。一般的には条間空間の断面積の経時的な変化が少ない波状とすることが好ましいが、使用する粘着剤の特性等によって適宜決定することが好ましい。また、粘着層を基材面上に部分的に設ける場合には、条間に通気路として機能する空間が確保されるように、ドットの大きさや配置、条間空間の大きさ等を適宜設計することが好ましい。
【００３１】
所望の領域に粘着剤を塗布する場合には、剥離ライナー上に、例えば、櫛形状の型を用いて塗工中にその櫛を固定したり、振幅移動させたりして、所望のスジ状又はウエイブ状等の形状を有する粘着層を剥離ライナー上に形成し、これを伸縮固定部材１１の基材１２の面上に転写すればよい。
【００３２】
粘着層１２の厚さは、使用される粘着剤の種類、特性等によって適宜決定されることが好ましいが、例えば、２０〜４００μｍであることが好ましく、２５〜２００μｍであることが更に好ましい。
【００３３】
膝部用粘着部材１には、本発明の効果を阻害しない範囲内であれば、必要に応じて穿孔を施してもかまわない。
【００３４】
本発明の膝部用粘着部材１は、粘着層１２の表面の汚染を防ぐために、使用するまで粘着層１２の表面を剥離ライナーにて被覆させておくことが好ましい。この剥離ライナーは、一般的に皮膚へ貼付する粘着テープ等に用いられるものを使用することができる。具体的には、上質紙、グラシン紙、パーチメント紙等の表面に、シリコーン等の剥離性能を有する剥離剤をコーティングしたものや、上質紙にレジンをアンカーコートしたもの又はポリエチレンをラミネートしたもの等の表面にシリコーン等の剥離性能を有する剥離剤をコーティングしたものを使用することができる。
【００３５】
剥離ライナーは数枚のシートから構成されていてもよく、例えば、３枚の剥離ライナーが、一方のテープ部と一方のＵ字端部、他方のテープ部と他方のＵ字端部、及び、連結部の各粘着層を覆うように構成されていてもよいし、５枚の剥離ライナーが、一方のテープ部、他方のテープ部、一方のＵ字端部、他方のＵ字端部、及び、連結部の各粘着層をそれぞれ覆うように構成されていてもよい。
【００３６】
次に、環の一部を切断するスリットを有する楕円環形状の膝部用粘着部材について説明する。図２に本発明の第２の実施形態に係る膝部用粘着部材を示す。ここでは、ほぼ矩形状の外形を有する粘着部材のほぼ中央に、楕円環長辺２４、２４'と、楕円環凹部短辺２３と、楕円環短辺２８、２８'とに囲まれた打ち抜き部２２が形成されている。ただし、楕円環凹部短辺２３の成す角度θは９０度以下である。図２において楕円環凹部短辺２３は２本の直線から形成されているが、楕円環凹部短辺２３は曲線で構成されていてもよく、この場合には、楕円環長辺２４及び楕円環凹部短辺２３の境界点（Ｅ、Ｅ'）と、楕円環凹部短辺の凹部頂点Ｇとの間の曲線上の適当な点における接線が成す角度で示すことができる。なお、楕円環凹部短辺の形状は２本の直線又は曲線に限定されることはない。図２において、楕円環はスリット２９で切断されている。楕円環長辺２４及び楕円環長辺２４'は、図１におけるＵ字側辺４及びＵ字側辺４'と同様の機能を有し、これらの辺が膝頭を挟み込むように貼着される。打ち抜きによって形成された両辺の開き幅Ｗ１はＵ字型の膝部用粘着部材と同様に、Ｗ１＝０．５ｃｍ〜９ｃｍの範囲内で使用対象者の体型等を考慮して適宜選択されることが好ましい。
【００３７】
膝部用粘着部材２１は、楕円環長辺２４、２４'と楕円環凹部短辺２３とを含むテープ部２６、２６'、スリット２９に位置し、楕円環短辺２８、２８'を含む楕円環端部２５、２５'、及び、テープ部２６とテープ部２６'とを繋いでいる連結部２７から構成される。Ｕ字型の膝部用粘着部材のＵ字端部５及びＵ字端部５'が重ね合わされて貼着されるように、楕円環端部２５、２５'の先端部も膝関節の側面に重ねて貼着される。
【００３８】
膝部用粘着部材２１の各構成部分は特にことわらない限りＵ字型の膝部用粘着部材１の類似の部材と同様の機能等を有するものであり、また、膝部用粘着部材２１の層構成は、Ｕ字型の膝部用粘着部材１と同様の構成を有する。
【００３９】
本発明の膝部用粘着部材の使用方法の一例を、図１に示すＵ字型の膝部用粘着部材１を膝関節に適用した場合について以下に説明する。
【００４０】
図３は、本発明の第１の実施形態に係る膝部用粘着部材１を用いて膝関節を固定する方法（一例）を説明する図である。
【００４１】
図３の（ａ）において、連結部７の粘着層を覆っている剥離ライナーを除去し、連結部７を膝頭３１の側方部に膝蓋骨に沿って貼着する。次いで、テープ部６'の粘着層を覆っている剥離ライナーを除去してから、Ｕ字端部５'を引張って伸張させながら膝関節の側面に膝頭３１を囲むように膝蓋骨に沿って貼着する。次に、Ｕ字端部５'の粘着層を覆っている剥離ライナーを除去して貼着する。その後、同様にして、図１の（ｂ）に示すように、テープ部６、Ｕ字端部５を貼着する。Ｕ字端部５は、既に貼着してあるＵ字端部５'の上に重ねて貼着する。
【００４２】
このように貼着することによって、テーピングの専門知識がない人でも、容易に、しかも適切な位置にテーピングすることができ、膝関節等を固定して、膝の痛みを軽減させることができる。
【００４３】
図２に示す膝部用粘着部材２１についても、上記と同様にテーピングすることによって膝部を固定することができる。すなわち、連結部２７の粘着層を覆っている剥離ライナーを除去し、楕円環端部２５'を引張りつつ楕円環長辺２４'を膝頭３１の下方部に貼着した後、楕円環端部２５'を膝関節の側面に膝頭３１を囲むように膝蓋骨に沿ってテープ部２６'を貼着する。次に、楕円環端部２５及びテープ部２６も同様に貼着する。なお、他方の楕円環端部２５を既に貼着してある楕円環端部２５'の上に重ねて貼着する。
【実施例】
【００４４】
以下に本発明の実施例を示し、さらに具体的に説明するが、本発明はこれらに限定されるものではなく、本発明の技術的思想を逸脱しない範囲内で種々の応用が可能である。
（実施例１）
【００４５】
２−エチルヘキシルアクリレート９０重量部、及び、アクリル酸９重量部の混合物を、不活性ガス雰囲気下で酢酸エチルによって共重合することによりアクリル系粘着剤を得た。このアクリル系粘着剤を、上質紙にポリエチレンをラミネートした面にシリコーン処理を施した剥離ライナーの処理面に、乾燥後の厚さが８０μｍとなるように塗布し、１２０℃で３分間乾燥させて粘着層を形成した。この粘着層の上に、伸縮固定部材として用意したポリエステル７５デニール糸をスムーズ編で伸縮するように編み込んだ、厚さ４５０μｍの伸縮性編布を重ね、貼合せることにより、伸縮固定部材／粘着層／剥離ライナーの層構成を有する積層体を得た。
【００４６】
得られた積層体に打ち抜き加工を施して、図１に示すような形状の膝部用粘着部材を得た。ただし、外形の矩形状は、縦が１００ｍｍ、横が１９５ｍｍであり、Ｕ字端部の端からＵ字の湾曲頂点までの長さ（Ｌ２）が１４５ｍｍ、Ｕ字の湾曲底辺の成す角（θ）が４５°であった。
（実施例２）
【００４７】
ポリエステル７５デニール糸をスムーズ編で伸縮するように編み込んだ、厚さ４５０μｍの伸縮性編布に、厚さ１０μｍのポリエステル系ウレタンフィルムをドライラミネートして伸縮固定部材を形成した。次に、上質紙にポリエチレンをラミネートした面にシリコーン処理を施した剥離ライナーの処理面に、油性ゲル粘着剤を乾燥後の厚さが７０μｍとなるように塗布し、１２０℃で３分間乾燥させることにより粘着層を形成した。この粘着層と上記の伸縮性固定部材とを貼合せることにより、伸縮性固定部材（ポリエステル系ウレタンフィルム／伸縮性編布）／粘着層／剥離ライナーの層構成を有する積層体を得た。
【００４８】
得られた積層体に打ち抜き加工を施し、図１に示すような形状の膝部用粘着部材を形成した。ただし、外形の矩形状は、縦が１１０ｍｍ、横が２４０ｍｍであり、打ち抜き部の長さ（Ｌ２）が１８０ｍｍで、Ｕ字の湾曲底辺の成す角θが８０°であった。
（実施例３）
【００４９】
ポリエステル７５デニール糸をスムーズ編で伸縮するように編み込んだ、厚さ４５０μｍの伸縮性編布に、厚さ２０μｍのポリエーテル系ウレタンフィルムをドライラミネートして伸縮固定部材を形成した。次に、上質紙にポリエチレンをラミネートした面にシリコーン処理を施した剥離ライナーの処理面に、油性ゲル粘着剤を乾燥後の厚さが７０μｍとなるように、櫛形状の型を用いて塗工中に振幅移動させて波状に塗布し、１２０℃で３分間乾燥させることにより条状の粘着層を形成した。さらに、この粘着層と上記の伸縮固定部材とを貼合せることにより、伸縮固定部材／粘着層／剥離ライナーの層構成を有する積層体を得た。
【００５０】
得られた積層体に打ち抜き加工を施し、図１に示すような形状の膝部用粘着部材を形成した。ただし、外形の矩形状は、縦が１１０ｍｍ、横が２４０ｍｍであり、打ち抜き部の長さ（Ｌ２）が１８０ｍｍ、Ｕ字の湾曲底辺の成す角（θ）が３０°であった。
（実施例４）
【００５１】
ポリエステル７５デニール糸をスムーズ編で伸縮するように編み込んだ、厚さ４５０μｍの伸縮性編布に、２０μｍのポリエーテル系ウレタンフィルムをドライラミネートして伸縮固定部材を形成した。次に、上質紙にポリエチレンをラミネートした面にシリコーン処理を施した剥離ライナーの処理面に、油性ゲル粘着剤を乾燥後の厚さが７０μｍとなるように、櫛形状の型を用いてスジ状に塗布し、１２５℃で５分間乾燥させることにより条状の粘着層を形成した。さらに、この粘着層と上記の伸縮固定部材とを貼合せることにより、伸縮固定部材／粘着層／剥離ライナーの層構成を有する積層体を得た。
【００５２】
得られた積層体に打ち抜き加工を施し、図２に示すような形状の膝部用粘着部材を形成した。ただし、外形の矩形状は、縦が１１０ｍｍ、横が２４０ｍｍであり、打ち抜き部の長さ（Ｌ２）が１７０ｍｍ、楕円環凹部短辺の成す角（θ）が４５°であった。
（比較例１）
【００５３】
実施例２において、伸縮固定部材の替わりに、一般にスポーツ用テーピングテープとして知られている厚さ７３０μｍの厚手強撚布を用いた以外は、実施例２と同様にして積層体を形成した。得られた積層体に、Ｕ字の湾曲底辺の成す角度を６０°に変更した以外は実施例２と同様にして打ち抜き加工を施し、図１に示すような形状の膝部用粘着部材を得た。ただし、得られた膝部用粘着部材におけるＵ字の湾曲底辺の成す角θは６０°であり、膝部用粘着部材の２０％伸張時における引張応力が１５Ｎ／１９ｍｍ幅、８０％伸張時におけるヒステリシスが５０％、及び、８０％伸張時における引張応力が１０Ｎ／１９ｍｍ幅であった。
（比較例２）
【００５４】
実施例１と同様にして積層体を形成した。得られた積層体に、実施例１と同様にして、図１の形状に類似してはいるがＵ字の湾曲底辺の成す角度が１８０°である形状の打ち抜き加工を施しで膝部用粘着部材を得た。
（比較例３）
【００５５】
実施例２と同様にして積層体を形成した。得られた積層体に、実施例２と同様にして打ち抜き加工を施し、図４に示すような形状のＶ字型粘着部材を得た。図４において、連結部３７の幅Ｌ１は３０ｍｍ、テープ部３６とテープ部３６'及び端部３５と端部３５'とは線対称な図形であって、Ｌ２は２００ｍｍ、テープ部の長さＬ３は１５０ｍｍ、テープ部の幅Ｗ２は６０ｍｍ、テープ部３６とテープ部３６'との成す角θが４５°であり、このような形状となるように打ち抜き加工を施した。
【００５６】
上記の実施例１〜４及び比較例１〜３に示す膝部用粘着部材を、年齢層が３０代以上のボランティア２０人の膝関節に貼付し、下記に示す特性の測定と評価を行った。この結果を表１〜表４に示す。
【００５７】
《測定方法及び評価方法》
（１）  ２０％伸張時における引張応力
幅１９ｍｍ×長さ約１００ｍｍの試料片を取り、５０ｍｍの長さ地点に標線を入れた。この試料片を引張速度３００ｍｍ／分で引張り、試料片を２０％引張った時の引張応力（単位：Ｎ／１９ｍｍ幅）を測定した。
【００５８】
（２）  ８０％伸張時のヒステリシス（８０％伸張時の復元率）
粘着テープから剥離ライナーを除去した後、１時間経過したところで、長手方向に、幅１９ｍｍ×長さ約１００ｍｍの試料片を取り、５０ｍｍの長さ地点に標線を入れた。この試料片を３００ｍｍ／分の速さで引っ張り、最大伸ばした時の伸び量を下式により求めた。
最大伸ばした時の伸び量（ｍｍ）＝
最大伸ばした時の標線の距離(ｍｍ)−５０ｍｍ
次に、同様に作成した試料片を引っ張り、上式により求められた、最大伸ばした時の長さの伸び量の８０％だけを引張速度３００ｍｍ／分の速さで伸張させ、その後、同じ速さで引っ張る前の状態に戻す。この操作を５回繰り返した。さらに、その後の残留歪み長さを測定し、復元率（％）を次式により求めた。テンシロン引張試験機を用いる。但し、式中Ｘは、最大伸ばした時の伸び量×０．８（ｍｍ）である。残留歪み長さは、５回目のヒステリシスの応力が、０．１Ｎ／１９ｍｍ幅以下となっている部分の長さ（ｍｍ）を求めたものである。
８０％伸張時の復元率（％）＝｛（Ｘ−残留歪み長さ（ｍｍ））／Ｘ｝×１００
【００５９】
（３）  ８０％伸張時における引張応力
幅１９ｍｍ×長さ約１００ｍｍの試料片を取り、５０ｍｍの長さ地点に標線を入れた。この試料片を引張速度３００ｍｍ／分で引っ張り、試料片を８０％引っ張った時の引張応力（単位：Ｎ／１９ｍｍ幅）を測定した。
【００６０】
（４）  角度（θ）
図１に示すようなＵ字型の場合には、Ｕ字の湾曲底辺３の成す角θは、湾曲底辺３が曲線により形成されている場合には、湾曲底辺及びＵ字側辺の境界点（Ｂ、Ｂ’）と、湾曲底辺の湾曲頂点Ａとの間の曲線状の適当な点（例えば、Ｃ、Ｃ’）の接線（ａ、ａ’）が成す角度で示した。また、図２に示すような楕円環型の場合には、楕円環凹部短辺の成す角として、楕円環状凹部短辺２３の２本の直線の成す角度を用いた。
【００６１】
（５）  膝関節の痛みの軽減効果
ボランティア２０人に、テーピングを行わなかった時と比べて、「膝が非常に楽になった」、「膝の痛みが少なくなった」、「膝が軽い感じになった」、「変わらない」の４段階で評価してもらった。各評価段階の該当人数を表２に示す。また、上記評価段階のうち、「膝が非常に楽になった」、「膝の痛みが少なくなった」、及び、「膝が軽い感じになった」の段階を、関節部の痛みの軽減に対して効果があったと判断し、この合計人数の占める割合を有効率とした。有効率も併せて表２に示す。
【００６２】
（６）  装着感
ボランティア２０人に、装着感を、「非常に快適である」、「問題なし」、「不快に感じる」、「非常に不快」の４段階で評価してもらった。各評価段階の該当人数を表３に示す。また、上記評価段階のうち、「非常に快適」、及び、「問題なし」の段階を装着感が良好であると判断し、この合計人数の占める割合を有効率とする。この有効率も併せて表３に示す。
【００６３】
（７）  操作性
ボランティア２０人に、操作性を、「貼り易い」、「問題なし」、「貼り難い」、「非常に貼り難い」の４段階で評価してもらった。各評価段階の該当人数を表４に示す。また、上記評価段階のうち、「貼り易い」、及び、「問題なし」の段階を操作性が良好であると判断し、この合計人数を有効率とする。この有効率も併せて表４に示す。
【００６４】
【表１】
2005028025.tif 000003
【００６５】
【表２】
2005028025.tif 000004
【００６６】
【表３】
2005028025.tif 000005
【００６７】
【表４】
2005028025.tif 000006
【００６８】
表２〜４から明らかなように、実施例１〜４の膝部用粘着部材は、すべての評価において有効率が高く、膝関節の痛みの軽減効果において有効であり、装着感及び操作性においても良好であることが分かった。
【００６９】
一方、伸縮固定部材を有していない比較例１、角度θが１２０°より大きい比較例２、及び、Ｕ字型でも楕円環型でもないＶ字型の形状を有する比較例３の膝部用粘着部材は、すべての評価において有効率が低かった。
【図面の簡単な説明】
【００７０】
【図１】本発明の第１の実施形態に係る膝部用粘部材を示す図であり、（ａ）はその平面図、（ｂ）はその斜視図である。
【図２】本発明の第２の実施形態に係る膝部用粘着部材を示す平面図である。
【図３】本発明の第１の実施形態に係る膝部用粘着部材を用いて、膝関節部をテーピングする方法を説明するための図である。
【図４】比較例３の粘着部材を示す平面図である。
【符号の説明】
【００７１】
１、２１  膝部用粘着部材
２、２２  打ち抜き部
３  Ｕ字の湾曲底辺
４、４'  Ｕ字側辺
５、５'  Ｕ字端部
６、６'、２６、２６'  テープ部
７、２７  連結部
８  Ｕ字の開口部
１１  伸縮固定部材
１２  粘着層
１３  基材
１４  ポリウレタン層
２３  楕円環凹部短辺
２４、２４'  楕円環長辺
２５、２５  '楕円環端部
２８、２８'  楕円環短辺
２９  スリット
３１  膝頭
Ａ  湾曲頂点
Ｂ、Ｂ'  境界点
Ｃ、Ｃ'  湾曲底辺上の点
Ｄ、Ｄ'、Ｅ、Ｅ'、Ｆ、Ｆ'  境界点
Ｇ  楕円環の凹部頂点
【図１】
2005028025.tif 000007
【図２】
2005028025.tif 000008
【図３】
2005028025.tif 000009
【図４】
2005028025.tif 000010